(57)【要約】      （修正有）【課題】簡易な構造から成り、低い製造コストで製造でき、帽子状態の形成時と折畳み時の作業が簡素で使い易い折畳み帽子を提供する。【解決手段】折畳み式帽子１は、人体頭部の側部を保護する環状の外枠部２と、外枠部２の一端及び他端にまたがって設けられ人体頭部の上部を保護する上側保護部３とを備え、上側保護部３が外枠部２から上方に膨出した帽子状態と、上側保護部３が外枠部２の内部に収容された折畳み状態とをそれぞれ形成可能であるように構成する。【選択図】図１
2012172269.tif 000002
【特許請求の範囲】
【請求項１】
人体頭部の側部を保護する環状の外枠部と、
該外枠部の一端及び他端にまたがって設けられ前記人体頭部の上部を保護する上側保護部とを備え、
前記上側保護部が前記外枠部から上方に膨出した帽子状態と、前記上側保護部が前記外枠部の内部に収容された折畳み状態とをそれぞれ形成可能であることを特徴とする折畳み式帽子。
【請求項２】
前記上側保護部は、前記人体頭部の前側を保護する前側保護部と前記人体頭部の後側を保護する後側保護部とを備え、
前記前側保護部と前記後側保護部にはそれぞれ係止部が設けられ、
前記係止部同士を係止させることで前記帽子状態が形成され、前記係止部同士を離脱させることで前記折畳み状態を形成されることを特徴とする請求項１に記載の折畳み式帽子。
【請求項３】
前記帽子状態における上側保護部は、前記前側保護部及び前記後側保護部のうちの一方に外部から衝撃が加わった際に、前記前側保護部及び前記後側保護部のうちの他方が突っ張りとして機能することで、前記衝撃に対して抗力を奏することを特徴とする請求項２に記載の折畳み式帽子。
【発明の詳細な説明】
【技術分野】
【０００１】
本発明は、人体頭部を保護する折畳み式帽子に関する。
【背景技術】
【０００２】
保護帽たとえばヘルメットは、飛来物や落下物から頭部を保護する目的の他、輸送機関の搭乗者の頭部を保護する目的でも使用される。近年は自転車の搭乗者の頭部保護用のヘルメットが重要視されており、自転車搭乗者のヘルメット着用を義務化する国や学校も存在する。一方で、ヘルメットは容積が大きく非着用時の持ち運びが不便である。そのため、従来、キャップ部と、キャップ部に被せる交換自在な外帽体とからなる乗車用ヘルメットであって、キャップ部は複数のシート材を接続することによって形成した略球体を折り込んでキャップ状とし、折り込まれた表裏のシート材を多数個所で固着することにより連続空気嚢として構成するものが知られている（例えば、特許文献１参照）。また、頭頂部、右側部、左側部、後頭部がそれぞれ別の板状の部材から構成され、着用時は頭頂部に重なった右側部、左側部、後頭部を全てスライドさせて展開しヘルメットの形状とし、非着用時は右側部、左側部、後頭部を頭頂部側にスライドさせてコンパクトな形状とするヘルメットが知られている（例えば、非特許文献１参照）
【先行技術文献】
【特許文献】
【０００３】
【特許文献１】特開２００１−７３２２０号公報
【非特許文献】
【０００４】
【非特許文献１】Pango Folding Helmet  ( http://www.dahon.com/news/releases/2009/09/green-mobility-meets-award-winning-technology )
【発明の概要】
【発明が解決しようとする課題】
【０００５】
しかし、特許文献１に記載の発明は、キャップ部と外帽体とが別部材であるために着用時の組立や着用時の空気嚢への空気注入等に煩雑な作業を伴うという問題がある。また、特許文献１に記載の発明は、キャップ部も外帽体も構造が複雑で、製造コストが高騰するという問題がある。また、非特許文献１に記載の発明は、着用時に右側部、左側部、後頭部をそれぞれ展開させて帽子状態を形成しなければならないために着用時の組立に煩雑な作業を伴うという問題がある、更に非特許文献１に記載の発明は構造が複雑であり、製造コストが高騰するという問題がある。
【０００６】
本発明は上記の問題に鑑みてなされたものであり、簡易な構造から成り、低い製造コストで製造でき、帽子状態の形成時と折畳み時の作業が簡素で使い易い折畳み帽子を提供することを課題としている。
【課題を解決するための手段】
【０００７】
かかる課題を達成するために、請求項１に記載の発明は、人体頭部の側部を保護する環状の外枠部と、該外枠部の一端及び他端にまたがって設けられ前記人体頭部の上部を保護する上側保護部とを備え、前記上側保護部が前記外枠部から上方に膨出した帽子状態と、前記上側保護部が前記外枠部の内部に収容された折畳み状態とをそれぞれ形成可能であることを特徴とする。
【０００８】
請求項２に記載の発明は、請求項１に記載の構成に加え、前記上側保護部は、前記人体頭部の前側を保護する前側保護部と前記人体頭部の後側を保護する後側保護部とを備え、前記前側保護部と前記後側保護部にはそれぞれ係止部が設けられ、前記係止部同士を係止させることで前記帽子状態が形成され、前記係止部同士を離脱させることで前記折畳み状態を形成されることを特徴とする。
【０００９】
請求項３に記載の発明は、請求項２に記載の構成に加え、前記帽子状態における上側保護部は、前記前側保護部及び前記後側保護部のうちの一方に外部から衝撃が加わった際に、前記前側保護部及び前記後側保護部のうちの他方が突っ張りとして機能することで、前記衝撃に対して抗力を奏することを特徴とする。
【発明の効果】
【００１０】
請求項１に記載の発明によれば、環状の外枠部と、上側保護部とを備え、これらを主たる構成とすることにより、折畳み式帽子を簡単な構造で構成できる。また、上側保護部を外枠部に対して膨出させたり収容させたりすることで帽子状態と折畳み状態とをそれぞれ形成することにより、簡素な作業で帽子状態の形成と折畳みとを行うことができる。これにより、簡易な構造から成り、低い製造コストで製造でき、帽子状態の形成時と折畳み時の作業が簡素で使い易い折畳み帽子を提供することができる。
【００１１】
請求項２に記載の発明によれば、上側保護部は、前側保護部と後側保護部とを備えたことにより、人体頭部の上部において特に保護が必要な前頭部から頭頂部を経て後頭部にかけてを確実に保護できる。また、前側保護部と後側保護部に設けられた係止部同士を係止させることで帽子状態が形成され、係止部同士を離脱させることで折畳み状態が形成されることにより、係止部の係脱のみで帽子状態と折畳み状態とを形成できる。これにより、帽子状態の形成時と折畳み時の作業を一層簡素に行うことができる。
【００１２】
請求項３に記載の発明によれば、上側保護部の前側保護部及び後側保護部のうちの一方に外部から衝撃が加わった際に、前側保護部及び後側保護部のうちの他方が突っ張りとして機能するように構成されたことにより、上側保護部を前側保護部と後側保護部とで形成しつつ、上側保護部を、外部からの衝撃から人体頭部を守れるように構成できる。これにより、帽子状態の形成時と折畳み時の作業が簡素で、しかも安全性の高い折畳み式帽子を提供できる。
【図面の簡単な説明】
【００１３】
【図１】この実施の形態の折畳み帽子を帽子状態にしたときの、平面方向から見た斜視図である。
【図２】同上折畳み式帽子を折畳み状態にしたときの、平面方向から見た斜視図である。
【図３】同上折畳み式帽子を帽子状態にしたときの、底面方向から見た斜視図である。
【図４】同上折畳み式帽子のＡ−Ａ線断面図である。ヘルメット帽体の底面図である。
【図５】同上折畳み式帽子のＢ−Ｂ線断面図である。
【図６】同上折畳み式帽子の変形例におけるＡ−Ａ線断面図である。
【発明を実施するための形態】
【００１４】
以下、この発明の一の実施の形態について図面を参照して説明する。
【００１５】
まず構成を説明すると、図１に示す、この実施の形態の折畳み式帽子１は、自転車搭乗者用のヘルメットであり、転倒時や衝突時の衝撃から搭乗者の頭部を保護するために用いられる。折畳み式帽子１は、外枠部２と、上側保護部３とを備える。外枠部２及び上側保護部３は、外側が耐衝撃性の高い硬質樹脂、例えばＰＥＴ樹脂、ＰＶＣ樹脂等で形成され、内側が衝撃吸収性の高い樹脂、例えば発砲スチロール、発砲ポリプロピレン、ポリウレタン等で形成されている。なお、外枠部２及び上側保護部３の外側は、ＰＣ（ポリカーボネート）樹脂、ＡＢＳ樹脂、ＦＲＰ樹脂等で形成されていてもよい。外枠部２及び上側保護部３は、外部から加わった力によって若干撓むように形成される。
【００１６】
外枠部２は、環状に形成され人体頭部の側部を保護する。即ち、折畳み式帽子１を人体頭部に被った状態で、人体頭部の額部分から側頭部を経て後頭部にかけてを覆う。
【００１７】
上側保護部３は、外枠部２の一端である前側及び他端である後側にまたがって設けられており、人体頭部の上部を保護する。即ち、折畳み式帽子１を人体頭部に被った状態で、人体頭部の上部である額部分から頭頂部を経て後頭部にかけてを覆う。
【００１８】
図１及び図３に示す通り、上側保護部３は前側保護部４と後側保護部５とを備えている。前側保護部４は第一の連結部６によって基端部が外枠部２の前側に回動自在に軸止され、折畳み式帽子１を人体頭部に被った状態で人体頭部の額部分から頭頂部にかけてを覆う。後側保護部５は第二の連結部７によって基端部が外枠部２の後側に回動自在に軸止され、折畳み式帽子１を人体頭部に被った状態で人体頭部の後頭部から頭頂部にかけてを覆う。
【００１９】
図４及び図５に示す通り、前側保護部４の先端部と、後側保護部５の先端部とには係止部８が設けられている。具体的には、前側保護部４の先端部には階段状の第一の係止部９が設けられ、後側保護部５の先端部には逆階段状の第二の係止部１０が設けられており、第一の係止部９と第二の係止部１０とは係脱自在に設けられている。係止部８は、前側保護部４と後側保護部５とを係止できる構成であればどのようなものでもよい。また、係止部８は、図４及び図５に示す構成に加え、第一の係止部９と第二の係止部１０とが係止された状態で上側保護部３の内部から上側方向に力が加えられた際に、第一の係止部９と第二の係止部１０との係止状態の解除を防ぐためのロック機構（図示せず）を有することが望ましい。
【００２０】
前側保護部４と後側保護部５とは、図２及び図５に示すように、第一の係止部９と第二の係止部１０とを離脱させた状態で外枠部２の内部に収容された状態となるように構成される。即ち、第一の係止部９と第二の係止部１０とを離脱させたとき、前側保護部４と後側保護部５とは、後側保護部５の上側に前側保護部４が重なった状態で外枠部２の内部に収容される。
【００２１】
第一の係止部９と第二の係止部１０とを離脱させた状態で前側保護部４と後側保護部５とが外枠部２の内部に収容された状態とするためには、例えば、前側保護部４と後側保護部５とは、自重で外枠部２の中央方向に降下するように構成されていることや、前側保護部４及び後側保護部５の外枠部２に対する位置が図５に示す状態で安定するように構成されていること等が考えられる。
【００２２】
後述するように、この実施の形態の折畳み式帽子１は、第一の係止部９と第二の係止部１０とを係脱させることで、上側保護部３が外枠部２から上方に膨出した帽子状態と、上側保護部３が外枠部２の内部に収容された折畳み状態とをそれぞれ形成可能である。
【００２３】
図１及び図３に示す通り、帽子状態において、外枠部２と上側保護部３との間には開口部１１が形成される。開口部１１は、折畳み式帽子１を人体頭部に被った状態で開口部１１が略水平面の地面に接触した際、開口部１１から露出した人体頭部が当該地面に接触しない形状及び大きさに形成される。この実施の形態においては、外枠部２と上側保護部３の厚さ（図４及び図５における外枠部２と上側保護部３の高さ方向大きさ）が厚く形成される一方、開口部１１の平面視大きさ（図１における開口部１１の略上下方向大きさ及び略左右方向大きさ）が小さく形成されているため、開口部１１が略水平面の地面に接触しても、開口部１１から露出した人体頭部が当該地面に接触しない。なお、開口部１１は通気孔の役割を果たし、折畳み式帽子１を被った人体頭部の温度上昇を抑止する。
【００２４】
次に、この実施の形態の折畳み式帽子１の作用について説明する。
【００２５】
まず、折畳み式帽子１を図２及び図５に示す折畳み状態から図１及び図４に示す帽子状態にするときは、前側保護部４と後側保護部５とを外枠部２の内部から上側に引き出して、前側保護部４と後側保護部５とを撓ませつつ第一の係止部９の端面と第二の係止部１０の端面とを接触させて、係止部８を係止させる。これにより、図１及び図３に示す通り前側保護部４と後側保護部５とは連結されて上側保護部３が断面視略アーチ状に形成され、折畳み式帽子１が帽子状態となる。
【００２６】
ここで、帽子状態において、第一の係止部９と第二の係止部１０の接触面において、前側保護部４は後側（図４の矢印Ｐ方向）に、後側保護部５は前側（図４の矢印Ｑ方向）に互いを押圧する。そのため、折畳み式帽子１は帽子状態が維持される。
【００２７】
そして、帽子状態の折畳み式帽子１を人体頭部に被った状態において、外枠部２は、人体頭部の側方から加わる衝撃に対し抗力を奏すると共にこの衝撃を吸収し、人体頭部を保護する。一方、上側保護部３は、人体頭部の上側から加わる衝撃に対し抗力を奏すると共にこの衝撃を吸収し、人体頭部を保護する。
【００２８】
このとき、上側保護部３は、前側保護部４及び後側保護部５のうちの一方に外部から衝撃が加わった際に、前側保護部４及び後側保護部５のうちの他方が突っ張りとして機能する。例えば、前側保護部４に外部から衝撃が加わった場合、この衝撃は、前側保護部４が係止部８において後側保護部５を後方（図４の矢印Ｐ方向）に押圧する押圧力となって作用する。しかし、後側保護部５はこの押圧力に対して反対方向（図４の矢印Ｑ方向）に前側保護部４を押圧する抗力を奏する。同様に、後側保護部５に外部から衝撃が加わった場合、後側保護部５が係止部８において前側保護部４を前方（図４の矢印Ｑ方向）に押圧する押圧力となって作用する。しかし、前側保護部４はこの押圧力に対して反対方向（図４の矢印Ｐ方向）に後側保護部５を押圧する抗力を奏する。しかも、これらの押圧力や抗力が加わっても係止部８の係止状態は維持される。従って、上側保護部３に外部から衝撃が加わった場合も、折畳み式帽子１の帽子状態は維持されて、上側から加わる衝撃から人体頭部を保護する。
【００２９】
一方、折畳み式帽子１を図１及び図４に示す帽子状態から図２及び図５に示す折畳み状態にするときは、前側保護部４と後側保護部５とを撓ませつつ第一の係止部９の端面と第二の係止部１０の端面とを離間させて、係止部８を離脱させる。これにより、前側保護部４と後側保護部５とは外枠部２の中央方向に降下して外枠部２の内部に収容され、折畳み式帽子１は帽子状態よりもコンパクトな折畳み状態となる。折畳み式帽子１を折畳み状態とすることで、折畳み式帽子１の持ち運びが容易になる。
【００３０】
以上、この実施の形態においては、環状の外枠部２と、上側保護部３とを備え、これらを主たる構成とすることにより、折畳み式帽子１を簡単な構造で構成できる。また、上側保護部３を外枠部２に対して膨出させたり収容させたりすることで帽子状態と折畳み状態とをそれぞれ形成することにより、簡素な作業で帽子状態の形成と折畳みとを行うことができる。これにより、簡易な構造から成り、低い製造コストで製造でき、帽子状態の形成時と折畳み時の作業が簡素で使い易い折畳み式帽子１を提供することができる。
【００３１】
なお、上記実施の形態においては、第一の係止部９と第二の係止部１０とを離脱させたとき、前側保護部４と後側保護部５とは、後側保護部５の上側に前側保護部４が重なった状態で外枠部２の内部に収容される構成とした。しかしこれに替えて、図６の変形例に示すように、前側保護部４と後側保護部５とは、前側保護部４の上側に後側保護部５が重なった状態で外枠部２の内部に収容される構成であってもよい。
【００３２】
また、上記実施の形態における折畳み式帽子１は自転車搭乗者用ヘルメットとしたが、これに限定されず、飛来物や落下物から頭部を保護するための作業用、避難用ヘルメットであってもよいし、自動車、自動二輪車等の輸送機関の搭乗者用のヘルメット等であってもよい。
【００３３】
上記実施の形態は本発明の例示であり、本発明が上記実施の形態に限定されることを意味するものではないことは、いうまでもない。
【符号の説明】
【００３４】
１・・・折畳み式帽子
２・・・外枠部
３・・・上側保護部
４・・・前側保護部
５・・・後側保護部
８・・・係止部
９・・・第一の係止部
１０・・・第二の係止部
【図１】
2012172269.tif 000003
【図２】
2012172269.tif 000004
【図３】
2012172269.tif 000005
【図４】
2012172269.tif 000006
【図５】
2012172269.tif 000007
【図６】
2012172269.tif 000008